(57)【要約】【課題】  実際のろうそくの炎のように見える擬似炎型発光装置及びその製造方法を提供することを課題とする。【解決手段】  ろうそくの炎に似せた外形を有して、ろうそくの炎のように、芯部３０と、内炎部２０と、外炎部１０とを有する透光性の擬似炎型発光装置１００であって、芯部３０は、発光素子１が配置され、芯部３０を覆うように、内炎部２０と外炎部１０とを持つ透光性のモールド樹脂４が配置され、外炎部１０には、発光素子１からの光の少なくとも一部を吸収して波長変換し黄赤色から赤色付近に発光色を有する蛍光体５が配置されており、擬似炎型発光装置である。【選択図】  図１
2005078905.tif 000002
【特許請求の範囲】
【請求項１】
ろうそくの炎に似せた外形を有して、該ろうそくの炎のように、芯部と、内炎部と、外炎部とを有する透光性の擬似炎型発光装置であって、
前記芯部は、発光素子が配置され、
前記芯部を覆うように、内炎部と外炎部とを持つ透光性のモールド樹脂が配置され、
該外炎部には、該発光素子からの光の少なくとも一部を吸収して波長変換し黄色から黄赤色付近に発光色を有する蛍光体が配置されていることを特徴とする擬似炎型発光装置。
【請求項２】
ろうそくの炎に似せた外形を有して、該ろうそくの炎のように、芯部と、内炎部と、外炎部とを有する透光性の擬似炎型発光装置であって、
前記芯部は、発光素子が配置され、
前記芯部を覆うように、内炎部と外炎部とを持つ透光性のモールド樹脂が配置され、
該内炎部には、該発光素子からの光の少なくとも一部を吸収して波長変換し黄赤色から赤色付近に発光色を有する第２の蛍光体が混入され、
該外炎部には、該発光素子からの光の少なくとも一部を吸収して波長変換し黄色から黄赤色付近に発光色を有する第１の蛍光体が混入されていることを特徴とする擬似炎型発光装置。
【請求項３】
前記内炎部は、拡散剤が混入されている請求項１又は請求項２のいずれかに記載の擬似炎型発光装置。
【請求項４】
前記擬似炎型発光装置は、点灯時において、前記内炎部の色温度が５００Ｋ〜１５００Ｋであり、前記外炎部の色温度が１０００Ｋ〜４０００Ｋであり、前記外炎部の色温度が前記内炎部の色温度よりも高いことを特徴とする請求項１又は請求項２のいずれかに記載の擬似炎型発光装置。
【請求項５】
ろうそくの炎に似せた外形を有した擬似炎型発光装置と、該擬似炎型発光装置に電気を流す電源部と、該擬似炎型発光装置と該電源部とを連結する本体部と、を有する電子炎灯であって、
該擬似炎型発光装置は、請求項１乃至４の擬似炎型発光装置が使用されている電子炎灯。
【請求項６】
前記電子炎灯は、パルス駆動若しくは間欠駆動させて電気を流していることを特徴とする請求項５に記載の電子炎灯。
【請求項７】
ろうそくの炎に似せた外形を有して、該ろうそくの炎のように、芯部と、内炎部と、外炎部とを有する透光性の擬似炎型発光装置の製造方法であって、
ろうそくの炎に似せた型枠内に、蛍光体を混入したモールド樹脂を投入する第１の工程と、
型枠内のモールド樹脂中に芯部に相当する発光素子を挿入する第２の工程と、
第１の工程後、蛍光体が型枠側に沈降する第３の工程と、
モールド樹脂を硬化する第４の工程と、
を有することを特徴とする擬似炎型発光装置の製造方法。
【請求項８】
ろうそくの炎に似せた外形を有して、該ろうそくの炎のように、芯部と、内炎部と、外炎部とを有する透光性の擬似炎型発光装置の製造方法であって、
ろうそくの炎に似せた型枠内に、比重の異なる第１の蛍光体と第２の蛍光体とを混入したモールド樹脂を投入する第１の工程と、
型枠内のモールド樹脂中に芯部に相当する発光素子を挿入する第２の工程と、
第１の工程後、第２の蛍光体よりも比重の大きい第１の蛍光体が型枠側に沈降する第３の工程と、
モールド樹脂を硬化する第４の工程と、
を有することを特徴とする擬似炎型発光装置の製造方法。
【請求項９】
ろうそくの炎に似せた外形を有して、該ろうそくの炎のように、芯部と、内炎部と、外炎部とを有する透光性の擬似炎型発光装置の製造方法であって、
ろうそくの炎に似せた型枠内に、比重の異なる第１の蛍光体及び第２の蛍光体並びに第２の蛍光体と比重がほぼ等しい拡散剤とを混入したモールド樹脂を投入する第１の工程と、
型枠内のモールド樹脂中に芯部に相当する発光素子を挿入する第２の工程と、
第１の工程後、第２の蛍光体よりも比重の大きい第１の蛍光体が型枠側に沈降する第３の工程と、
モールド樹脂を硬化する第４の工程と、
を有することを特徴とする擬似炎型発光装置の製造方法。
【請求項１０】
前記第２の蛍光体は、前記モールド樹脂よりも比重が大きい請求項８又は請求項９のいずれかに記載の擬似炎型発光装置の製造方法。
【請求項１１】
ろうそくの炎に似せた外形を有して、該ろうそくの炎のように、芯部と、内炎部と、外炎部とを有する透光性の擬似炎型発光装置の製造方法であって、
ろうそくの炎の内炎部に似せた内炎用成型型枠内に、第２の蛍光体を混入した第２のモールド樹脂を投入する第１の工程と、
該内炎用成型型枠内の第２のモールド樹脂中に芯部に相当する発光素子を挿入する第２の工程と、
第２のモールド樹脂を硬化させる第３の工程と、
ろうそくの炎に似せた外炎用成型型枠内に、第１の蛍光体を混入した第１のモールド樹脂を投入する第４の工程と、
該外炎用成型型枠内の第１のモールド樹脂中に内炎部に相当する第２のモールド樹脂を硬化させた内炎部を挿入する第５の工程と、
該第１のモールド樹脂を硬化させる第５の工程と、
第５の工程後、外炎用成型型枠内から擬似炎型発光装置を取り出す第６の工程と、
を有することを特徴とする擬似炎型発光装置の製造方法。
【請求項１２】
ろうそくの炎に似せた外形を有して、該ろうそくの炎のように、芯部と、内炎部と、外炎部とを有する透光性の擬似炎型発光装置であって、
前記芯部は、発光素子が配置され、
前記芯部を覆うように、内炎部と外炎部とを持つ透光性のモールド樹脂が配置され、
該外炎部には、該発光素子からの光の少なくとも一部を吸収して波長変換する蛍光体が配置され、
ろうそくの炎の色味と異なる色味の光を放出することを特徴とする擬似炎型発光装置。
【請求項１３】
ろうそくの炎に似せた外形を有して、該ろうそくの炎のように、芯部と、内炎部と、外炎部とを有する透光性の擬似炎型発光装置であって、
前記芯部は、発光素子が配置され、
前記芯部を覆うように、内炎部と外炎部とを持つ透光性のモールド樹脂が配置され、
該内炎部には、該発光素子からの光の少なくとも一部を吸収して波長変換する第１の蛍光体が混入され、
該外炎部には、該発光素子からの光の少なくとも一部を吸収して波長変換する第２の蛍光体が混入され、
ろうそくの炎の色味と異なる色味の光を放出することを特徴とする擬似炎型発光装置。
【発明の詳細な説明】
【技術分野】
【０００１】
本発明は、発光素子を用いて点灯、非点灯させる、ろうそくの炎に似せた外形を有する擬似炎型発光装置及びその製造方法並びに電子炎灯に関する。
【背景技術】
【０００２】
従来、仏壇等に置かれるろうそく、或いは輪灯などはマッチ、ライターなどを用いて実際に火を起こすため、取り扱い不注意から、時には火災が起きるという問題があり、それに対処するため炎に似せた外形を有するガラス管を取り付けた電球式灯具が多用されている。
【０００３】
ろうそくの炎は、人間の目には、黄赤色から赤色付近の色味を有する内炎部と、黄色から黄赤色付近の色味を有する外炎部とを持つ。この色味は、自然に移り変わっており、厳密な境界線はない。
【発明の開示】
【発明が解決しようとする課題】
【０００４】
しかし、従来の電球式灯具にあっては、発光部分が電球式灯具の中央部分にあるため、実際の炎のように、電球式灯具の外炎部が明るくないので、実際の炎のように見えないという問題点があった。
【０００５】
以上のことから、本発明は、実際のろうそくの炎のように見える擬似炎型発光装置及びその製造方法並びに電子炎灯を提供することを目的とする。
【課題を解決するための手段】
【０００６】
上記の問題点を解決すべく、本発明者らは鋭意検討を重ねた結果、本発明を完成するに到った。
【０００７】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該外炎部には、該発光素子からの光の少なくとも一部を吸収して波長変換し黄色から黄赤色付近に発光色を有する蛍光体が配置されていることを特徴とする擬似炎型発光装置に関する。
【０００８】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該内炎部には、該発光素子からの光の少なくとも一部を吸収して波長変換し黄赤色から赤色付近に発光色を有する第２の蛍光体が混入され、該外炎部には、該発光素子からの光の少なくとも一部を吸収して波長変換し黄色から黄赤色付近に発光色を有する第１の蛍光体が混入されていることを特徴とする擬似炎型発光装置に関する。
【０００９】
前記内炎部は、拡散剤が混入されていることが好ましい。
【００１０】
前記擬似炎型発光装置は、点灯時において、前記内炎部の色温度が５００Ｋ〜１５００Ｋであり、前記外炎部の色温度が１０００Ｋ〜４０００Ｋであり、前記外炎部の色温度が前記内炎部の色温度よりも高いことが好ましい。
【００１１】
本発明は、ろうそくの炎に似せた外形を有した擬似炎型発光装置と、該擬似炎型発光装置に電気を流す電源部と、該擬似炎型発光装置と該電源部とを連結する本体部と、を有する電子炎灯であって、該擬似炎型発光装置は、前記擬似炎型発光装置が使用されている電子炎灯に関する。
【００１２】
前記電子炎灯は、パルス駆動若しくは間欠駆動させて電気を流していることが好ましい。
【００１３】
本発明は、ろうそくの炎に似せた外形を有して、該ろうそくの炎のように、芯部と、内炎部と、外炎部とを有する透光性の擬似炎型発光装置の製造方法であって、ろうそくの炎に似せた型枠内に、蛍光体を混入したモールド樹脂を投入する第１の工程と、型枠内のモールド樹脂中に芯部に相当する発光素子を挿入する第２の工程と、第１の工程後、蛍光体が型枠側に沈降する第３の工程と、モールド樹脂を硬化する第４の工程と、を有することを特徴とする擬似炎型発光装置の製造方法に関する。
【００１４】
本発明は、ろうそくの炎に似せた外形を有して、該ろうそくの炎のように、芯部と、内炎部と、外炎部とを有する透光性の擬似炎型発光装置の製造方法であって、ろうそくの炎に似せた型枠内に、比重の異なる第１の蛍光体と第２の蛍光体とを混入したモールド樹脂を投入する第１の工程と、型枠内のモールド樹脂中に芯部に相当する発光素子を挿入する第２の工程と、第１の工程後、第２の蛍光体よりも比重の大きい第１の蛍光体が型枠側に沈降する第３の工程と、モールド樹脂を硬化する第４の工程と、を有することを特徴とする擬似炎型発光装置の製造方法に関する。
【００１５】
本発明は、ろうそくの炎に似せた外形を有して、該ろうそくの炎のように、芯部と、内炎部と、外炎部とを有する透光性の擬似炎型発光装置の製造方法であって、ろうそくの炎に似せた型枠内に、比重の異なる第１の蛍光体及び第２の蛍光体並びに第２の蛍光体と比重がほぼ等しい拡散剤とを混入したモールド樹脂を投入する第１の工程と、型枠内のモールド樹脂中に芯部に相当する発光素子を挿入する第２の工程と、第１の工程後、第２の蛍光体よりも比重の大きい第１の蛍光体が型枠側に沈降する第３の工程と、モールド樹脂を硬化する第４の工程と、を有することを特徴とする擬似炎型発光装置の製造方法に関する。ここで、第１の工程後に第２の工程を行うだけでなく、第２の工程後に第１の工程を行っても良い。第４の工程は、型枠内でのみ硬化を行っても良いが、型枠内で仮硬化を行った後、型枠内から擬似炎型発光装置を取り出して本硬化を行っても良い。
【００１６】
前記第２の蛍光体は、前記モールド樹脂よりも比重が大きいことが好ましい。
【００１７】
本発明は、ろうそくの炎に似せた外形を有して、該ろうそくの炎のように、芯部と、内炎部と、外炎部とを有する透光性の擬似炎型発光装置の製造方法であって、ろうそくの炎の内炎部に似せた内炎用成型型枠内に、第２の蛍光体を混入した第２のモールド樹脂を投入する第１の工程と、該内炎用成型型枠内の第２のモールド樹脂中に芯部に相当する発光素子を挿入する第２の工程と、第２のモールド樹脂を硬化させる第３の工程と、ろうそくの炎に似せた外炎用成型型枠内に、第１の蛍光体を混入した第１のモールド樹脂を投入する第４の工程と、該外炎用成型型枠内の第１のモールド樹脂中に内炎部に相当する第２のモールド樹脂を硬化させた内炎部を挿入する第５の工程と、該第１のモールド樹脂を硬化させる第５の工程と、第５の工程後、外炎用成型型枠内から擬似炎型発光装置を取り出す第６の工程と、を有することを特徴とする擬似炎型発光装置の製造方法に関する。ここで、第１の工程後に第２の工程を行うだけでなく、第２の工程後に第１の工程を行っても良い。また、第４の工程後に第５の工程を行うだけでなく、第５の工程後に第４の工程を行っても良い。第３の工程及び第５の工程は、型枠内でのみ硬化を行っても良いが、型枠内で仮硬化を行った後、型枠内から擬似炎型発光装置を取り出して本硬化を行っても良い。
【００１８】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該外炎部には、該発光素子からの光の少なくとも一部を吸収して波長変換する蛍光体が配置され、ろうそくの炎の色味と異なる色味の光を放出することを特徴とする擬似炎型発光装置に関する。
【００１９】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該内炎部には、該発光素子からの光の少なくとも一部を吸収して波長変換する第１の蛍光体が混入され、該外炎部には、該発光素子からの光の少なくとも一部を吸収して波長変換する第２の蛍光体が混入され、ろうそくの炎の色味と異なる色味の光を放出することを特徴とする擬似炎型発光装置に関する。
【発明の効果】
【００２０】
本発明は、以上説明したように構成されているので、以下に記載されるような効果を奏する。
【００２１】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該外炎部には、該発光素子からの光の少なくとも一部を吸収して波長変換し黄色から黄赤色付近に発光色を有する蛍光体が配置されていることを特徴とする擬似炎型発光装置に関する。これにより、擬似炎型発光装置を点灯したとき、擬似炎型発光装置の芯部付近は透明から青色に近い状態となり、外炎部は、黄色から黄赤色付近に発光色を有するため、擬似炎型発光装置を外部から目視したときに、実際のろうそくの炎のように発光する。
【００２２】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該内炎部には、該発光素子からの光の少なくとも一部を吸収して波長変換し黄赤色から赤色付近に発光色を有する第２の蛍光体が混入されて該外炎部には、該発光素子からの光の少なくとも一部を吸収して波長変換し黄色から黄赤色付近に発光色を有する第１の蛍光体が混入されていることを特徴とする擬似炎型発光装置に関する。これにより、擬似炎型発光装置を点灯したとき、擬似炎型発光装置の芯部付近は透明若しくはろうそくの不完全燃焼時の青色に近い状態となり、内炎部は、黄赤色から赤色付近に発光色を有し、外炎部は、黄色から黄赤色付近に発光色を有するため、擬似炎型発光装置を外部から目視したときに、より実際のろうそく炎のように発光する。
【００２３】
前記内炎部は、拡散剤が混入されていることが好ましい。これにより、発光素子の指向性が広がり、擬似炎型発光装置の上方のみへの発光だけでなく、側面方向への発光も行われるからである。
【００２４】
前記擬似炎型発光装置は、点灯時において、前記内炎部の色温度が５００Ｋ〜１５００Ｋであり、前記外炎部の色温度が１０００Ｋ〜４０００Ｋであり、前記外炎部の色温度が前記内炎部の色温度よりも高いことが好ましい。蛍光体の量、組成、粉体の粒子径、分散割合、２種以上の蛍光体の混合割合などにより調整して、実際のろうそくの炎のように発光する。
【００２５】
本発明は、ろうそくの炎に似せた外形を有した擬似炎型発光装置と、該擬似炎型発光装置に電気を流す電源部と、該擬似炎型発光装置と該電源部とを連結する本体部と、を有する電子炎灯であって、該擬似炎型発光装置は、前記擬似炎型発光装置が使用されている電子炎灯に関する。これにより、種々の電子炎灯を提供することができる。
【００２６】
前記電子炎灯は、パルス駆動若しくは間欠駆動させて電気を流していることが好ましい。ろうそくの炎のちらつき感を実現するためである。
【００２７】
本発明は、ろうそくの炎に似せた外形を有して、該ろうそくの炎のように、芯部と、内炎部と、外炎部とを有する透光性の擬似炎型発光装置の製造方法であって、ろうそくの炎に似せた型枠内に、蛍光体を混入したモールド樹脂を投入する第１の工程と、型枠内のモールド樹脂中に芯部に相当する発光素子を挿入する第２の工程と、第１の工程後、蛍光体が型枠側に沈降する第３の工程と、モールド樹脂を硬化する第４の工程と、を有することを特徴とする擬似炎型発光装置の製造方法に関する。これにより、簡易に擬似炎型発光装置を製造することができる。
【００２８】
本発明は、ろうそくの炎に似せた外形を有して、該ろうそくの炎のように、芯部と、内炎部と、外炎部とを有する透光性の擬似炎型発光装置の製造方法であって、ろうそくの炎に似せた型枠内に、比重の異なる第１の蛍光体と第２の蛍光体とを混入したモールド樹脂を投入する第１の工程と、型枠内のモールド樹脂中に芯部に相当する発光素子を挿入する第２の工程と、第１の工程後、第２の蛍光体よりも比重の大きい第１の蛍光体が型枠側に沈降する第３の工程と、モールド樹脂を硬化する第４の工程と、を有することを特徴とする擬似炎型発光装置の製造方法に関する。これにより、よりろうそくの炎のように発光する擬似炎型発光装置を簡易に製造することができる。特に、実際のろうそくの炎のように、内炎部と外炎部との色味を変えた擬似炎型発光装置を簡易に製造することができる。また、内炎部と外炎部の色味を調整するために、蛍光体量を適宜変更したり、蛍光体の比重を変更したり、適当な粘度を有するモールド樹脂を使用することもできる。さらに、内炎部から外炎部に向かうほど、明るく見えることを特徴としている。
【００２９】
本発明は、ろうそくの炎に似せた外形を有して、該ろうそくの炎のように、芯部と、内炎部と、外炎部とを有する透光性の擬似炎型発光装置の製造方法であって、ろうそくの炎に似せた型枠内に、比重の異なる第１の蛍光体及び第２の蛍光体並びに第２の蛍光体と比重がほぼ等しい拡散剤とを混入したモールド樹脂を投入する第１の工程と、型枠内のモールド樹脂中に芯部に相当する発光素子を挿入する第２の工程と、第１の工程後、第２の蛍光体よりも比重の大きい第１の蛍光体が型枠側に沈降する第３の工程と、モールド樹脂を硬化する第４の工程と、を有することを特徴とする擬似炎型発光装置の製造方法に関する。これにより、第２の蛍光体と拡散剤との比重をほぼ等しくすることにより、内炎部の第２の蛍光体を均一に分散する。この場合、外炎部の第１の蛍光体の濃度は高いが、内炎部は、拡散剤と第２の蛍光体とが均一に分散されているため、内炎部の第２の蛍光体の濃度は低い。よって、内炎部と外炎部との色味を変えた擬似炎型発光装置を簡易に製造することができる。
【００３０】
本発明は、前記第２の蛍光体は、前記モールド樹脂よりも比重が大きいことが好ましい。これにより、擬似炎型発光装置のモールド樹脂は、外炎部から、第１の蛍光体、第１の蛍光体と第２の蛍光体と拡散剤との混合物、第２の蛍光体と拡散剤との混合物の順に芯部に向かって配置されることとなり、擬似炎型発光装置を簡易に製造することができる。
【００３１】
本発明は、ろうそくの炎に似せた外形を有して、該ろうそくの炎のように、芯部と、内炎部と、外炎部とを有する透光性の擬似炎型発光装置の製造方法であって、ろうそくの炎の内炎部に似せた内炎用成型型枠内に、第２の蛍光体を混入した第２のモールド樹脂を投入する第１の工程と、該内炎用成型型枠内の第２のモールド樹脂中に芯部に相当する発光素子を挿入する第２の工程と、第２のモールド樹脂を硬化させる第３の工程と、ろうそくの炎に似せた外炎用成型型枠内に、第１の蛍光体を混入した第１のモールド樹脂を投入する第４の工程と、該外炎用成型型枠内の第１のモールド樹脂中に内炎部に相当する第２のモールド樹脂を硬化させた内炎部を挿入する第５の工程と、該第１のモールド樹脂を硬化させる第５の工程と、第５の工程後、外炎用成型型枠内から擬似炎型発光装置を取り出す第６の工程と、を有することを特徴とする擬似炎型発光装置の製造方法に関する。これにより、比重がほぼ等しい２種以上の蛍光体を用いた場合でも、内炎部と外炎部との色味を変えた擬似炎型発光装置を簡易に製造することができる。第１のモールド樹脂と第２のモールド樹脂は、同一種類のものでもよく異なる種類のものでも良い。
【００３２】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該外炎部には、該発光素子からの光の少なくとも一部を吸収して波長変換する蛍光体が配置され、ろうそくの炎の色味と異なる色味の光を放出することを特徴とする擬似炎型発光装置に関する。これにより、ろうそくの炎の色味と異なる色味の光、例えば、バーナーの炎に似た青色系の光や、色温度の高い電球色系の光など、を放出する多色系の擬似炎型発光装置を提供することができる。
【００３３】
本発明は、ろうそくの炎に似せた外形を有して、該ろうそくの炎のように、芯部と、内炎部と、外炎部とを有する透光性の擬似炎型発光装置であって、前記芯部は、発光素子が配置され、前記芯部を覆うように、内炎部と外炎部とを持つ透光性のモールド樹脂が配置され、該内炎部には、該発光素子からの光の少なくとも一部を吸収して波長変換する第１の蛍光体が混入され、該外炎部には、該発光素子からの光の少なくとも一部を吸収して波長変換する第２の蛍光体が混入され、ろうそくの炎の色味と異なる色味の光を放出することを特徴とする擬似炎型発光装置に関する。２種以上の蛍光体を用いることによりさらに多色系の擬似炎型発光装置を提供することができる。
【発明を実施するための最良の形態】
【００３４】
以下、本発明に係る擬似炎型発光装置及びその製造方法を、実施の形態及び実施例を用いて説明する。だたし、本発明は、この実施の形態及び実施例に限定されない。
【００３５】
＜第１の実施の形態＞
（擬似炎型発光装置）
本発明に係る第１の実施の形態を、図面を参照して説明する。図１は、擬似炎型発光装置の断面図である。色名と色度座標との関係は、ＪＩＳ  Ｚ８１１０を参酌している。
【００３６】
ろうそくの炎は、大きく外炎部と内炎部とから成る。そして、人間の目には、外炎部と内炎部とで色が違って見える。これは、燃焼温度に依存するものである。ろうそくは、芯部で揮発した油が熱による対流により上部に移動し、外炎表面で空気と接触することで完全燃焼するため、外炎部ほど明るく、内炎部、芯部と移行するにつれて暗くなる。場合によっては芯部付近で不完全燃焼による青色光を見る場合もある。しかし、従来の電子炎灯では、外炎部と内炎部との色の差を出すことができなかった。そこで、本発明は、外炎部と内炎部とで色味の異なるろうそくの炎に似せた外見を有する擬似炎型発光装置を提供する。
【００３７】
擬似炎型発光装置１００は、外炎部１０と、内炎部２０と、芯部３０とを有する。芯部３０は、外部に光を発光する発光素子１が使用されている。発光素子１は、マウントリード２ａのカップ形状を有する部分に載置されている。リードフレーム２は、発光素子１が載置されているマウントリード２ａと、インナーリード２ｂとから成っており、導電性ワイヤ３を用いて発光素子１が持つ電極と、それぞれ電気的に接合されている。外炎部１０と内炎部２０とは、モールド樹脂４で形成されており、モールド樹脂４には、蛍光体５が混入されている。特に、蛍光体５は、外炎部１０に多く配置され、内炎部２０方向に行くに従って、少量となっている。擬似炎型発光装置は、ろうそくの炎のように先端がやや尖った形状をなしていることが好ましい。また、擬似炎型発光装置は、ろうそくの炎のように、下方は蛍光体５が混入されておらず、赤色等を発光しない方が、好ましい。
【００３８】
この擬似炎型発光装置１００に、電流を投入して点灯させると、黄色から黄赤色付近に発光色を有する外炎部１０がよく光り、内炎部２０や芯部３０に近い側は、ほとんど色味がない状態となる。これは、発光素子１から放出された光が、モールド樹脂４に混入されている蛍光体５に照射し、蛍光体５がこの光の少なくとも一部を吸収し、波長変換し黄色から黄赤色付近に発光する。モールド樹脂４は、内炎部２０よりも外炎部１０の方が、蛍光体５が多く配置されているため、明るく発光する。また、擬似炎型発光装置１００は、実際のろうそくの炎のように発光するように、蛍光体５の混入量、分散量、配置箇所等を制御していることにもよる。
【００３９】
モールド樹脂４には、２種類以上の蛍光体５が混入されていてもよく、拡散剤が混入されていてもよい。
【００４０】
以下、この擬似炎型発光装置１００の各部の構成を具体的に説明する。
【００４１】
（発光素子）
発光素子１を励起光源として用いている。励起光源は、紫外から可視光の短波長側、具体的には３５０ｎｍ〜４９５ｎｍ付近に発光ピーク波長を有するものを使用することが好ましい。発光素子１を励起光源として用いているが、紫外から可視光の短波長側の範囲に発光ピーク波長を有する励起光源であれば、特に限定されない。励起光源としてランプや半導体発光素子等があるが、半導体発光素子を用いることが好ましい。
【００４２】
擬似炎型発光装置１００の芯部３０として発光素子１を用いるため、芯部３０は実際のろうそくの炎に似た無色透明の光若しくは青色の光であることが好ましい。そのため、紫外領域から可視光の短波長領域に発光する発光素子１を用いている。ただし、その発光素子１が蛍光体５を励起する励起光源としても用いられるため、発光素子１は、発光強度の高いものを使用することが好ましい。
【００４３】
本発明において発光素子１は、モールド樹脂４に混入されている蛍光体５を効率よく励起可能な発光波長を発光できる発光層を有する半導体発光素子が好ましい。このような半導体発光素子の材料として、ＢＮ、ＳｉＣ、ＺｎＳｅやＧａＮ、ＩｎＧａＮ、ＩｎＡｌＧａＮ、ＡｌＧａＮ、ＢＡｌＧａＮ、ＢＩｎＡｌＧａＮなど種々の半導体を挙げることができる。同様に、これらの元素に不純物元素としてＳｉやＺｎなどを含有させ発光中心とすることもできる。蛍光体５を効率良く励起できる紫外領域から可視光の短波長を効率よく発光可能な発光層の材料として特に、窒化物半導体（例えば、ＡｌやＧａを含む窒化物半導体、ＩｎやＧａを含む窒化物半導体としてＩｎＸＡｌＹＧａ１−Ｘ−ＹＮ、０≦Ｘ、０≦Ｙ、Ｘ＋Ｙ≦１）がより好適に挙げられる。
【００４４】
また、半導体の構造としては、ＭＩＳ接合、ＰＩＮ接合やｐｎ接合などを有するホモ構造、ヘテロ構造あるいはダブルへテロ構成のものが好適に挙げられる。半導体層の材料やその混晶比によって発光波長を種々選択することができる。また、半導体活性層を量子効果が生ずる薄膜に形成させた単一量子井戸構造や多重量子井戸構造とすることでより出力を向上させることもできる。
【００４５】
発光素子１に、窒化物半導体を使用した場合、半導体用基板にはサファイア、スピネル、ＳｉＣ、Ｓｉ、ＺｎＯ、ＧａＡｓ、ＧａＮ等の材料が好適に用いられる。結晶性の良い窒化物半導体を量産性よく形成させるためにはサファイア基板を利用することが好ましい。このサファイア基板上にＨＶＰＥ法やＭＯＣＶＤ法などを用いて窒化物半導体を形成させることができる。サファイア基板上にＧａＮ、ＡｌＮ、ＧａＡＩＮ等の低温で成長させ非単結晶となるバッファ層を形成しその上にｐｎ接合を有する窒化物半導体を形成させる。
【００４６】
窒化物半導体を使用したｐｎ接合を有する紫外領域を効率よく発光可能な発光素子例として、バッファ層上に、サファイア基板のオリフラ面と略垂直にＳｉＯ２をストライプ状に形成する。ストライプ上にＨＶＰＥ法を用いてＧａＮをＥＬＯＧ（Epitaxial Lateral Over Grows GaN）成長させる。続いて、ＭＯＣＶＤ法により、ｎ型窒化ガリウムで形成した第１のコンタクト層、ｎ型窒化アルミニウム・ガリウムで形成させた第１のクラッド層、窒化インジウム・アルミニウム・ガリウムの井戸層と窒化アルミニウム・ガリウムの障壁層を複数積層させた多重量子井戸構造とされる活性層、ｐ型窒化アルミニウム・ガリウムで形成した第２のクラッド層、ｐ型窒化ガリウムで形成した第２のコンタクト層を順に積層させたダブルへテロ構成などの構成が挙げられる。活性層をリッジストライプ形状としガイド層で挟むと共に共振器端面を設け本発明に利用可能な半導体レーザー素子とすることもできる。
【００４７】
窒化物半導体は、不純物をドープしない状態でｎ型導電性を示す。発光効率を向上させるなど所望のｎ型窒化物半導体を形成させる場合は、ｎ型ドーパントとしてＳｉ、Ｇｅ、Ｓｅ、Ｔｅ、Ｃ等を適宜導入することが好ましい。一方、ｐ型窒化物半導体を形成させる場合は、ｐ型ドーパントであるＺｎ、Ｍｇ、Ｂｅ、Ｃａ、Ｓｒ、Ｂａ等をドープさせることが好ましい。窒化物半導体は、ｐ型ドーパントをドープしただけではｐ型化しにくいためｐ型ドーパント導入後に、炉による加熱やプラズマ照射等により低抵抗化させることが好ましい。サファイア基板をとらない場合は、第１のコンタクト層の表面までｐ型側からエンチングさせコンタクト層を露出させる。各コンタクト層上にそれぞれ電極形成後、半導体ウェハーからチップ状にカットさせることで窒化物半導体からなる発光素子を形成させることができる。
【００４８】
半導体発光素子１は、不純物濃度１０１７〜１０２０／ｃｍ３で形成されるｎ型コンタクト層のシート抵抗と、透光性ｐ電極のシート抵抗とが、Ｒｐ≧Ｒｎの関係となるように調節されていることが好ましい。ｎ型コンタクト層は、例えば膜厚３〜１０μｍ、より好ましくは４〜６μｍに形成されると好ましく、そのシート抵抗は１０〜１５Ω／□と見積もられることから、このときのＲｐは前記シート抵抗値以上のシート抵抗値を有するように薄膜に形成するとよい。また、透光性ｐ電極は、膜厚が１５０μｍ以下の薄膜で形成されていてもよい。
【００４９】
また、透光性ｐ電極が、金および白金族元素の群から選択された１種と、少なくとも１種の他の元素とから成る多層膜または合金で形成される場合には、含有されている金または白金族元素の含有量により透光性ｐ電極のシート抵抗の調整をすると安定性および再現性が向上される。金または金属元素は、本発明に使用する半導体発光素子の波長領域における吸収係数が高いので、透光性ｐ電極に含まれる金又は白金族元素の量は少ないほど透過性がよくなる。従来の半導体発光素子はシート抵抗の関係がＲｐ≦Ｒｎであったが、本発明ではＲｐ≧Ｒｎであるので、透光性ｐ電極は従来のものと比較して薄膜に形成されることとなるが、このとき金または白金族元素の含有量を減らすことで薄膜化が容易に行える。
【００５０】
上述のように、本発明で用いられる半導体発光素子１は、ｎ型コンタクト層のシート抵抗ＲｎΩ／□と、透光性ｐ電極のシート抵抗ＲｐΩ／□とが、Ｒｐ≧Ｒｎの関係を成していることが好ましい。半導体発光素子１として形成した後にＲｎを測定するのは難しく、ＲｐとＲｎとの関係を知るのは実質上不可能であるが、発光時の光強度分布の状態からどのようなＲｐとＲｎとの関係になっているのかを知ることができる。
【００５１】
透光性ｐ電極とｎ型コンタクト層とがＲｐ≧Ｒｎの関係であるとき、前記透光性ｐ電極上に接して延長伝導部を有するｐ側台座電極を設けると、さらなる外部量子効率の向上を図ることができる。延長伝導部の形状及び方向に制限はなく、延長伝導部が衛線上である場合、光を遮る面積が減るので好ましいが、メッシュ状でもよい。また形状は、直線状以外に、曲線状、格子状、枝状、鉤状でもよい。このときｐ側台座電極の総面積に比例して遮光効果が増大するため、遮光効果が発光増強効果を上回らないように延長導電部の線幅及び長さを設計するのがよい。
【００５２】
また、発光素子１は、上述の紫外発光の発光素子と異なる青色系に発光する発光素子を使用することもできる。青色系に発光する発光素子１は、ＩＩＩ族窒化物系化合物発光素子であることが好ましい。発光素子１は、例えばサファイア基板１上にＧａＮバッファ層を介して、Ｓｉがアンドープのｎ型ＧａＮ層、Ｓｉがドープされたｎ型ＧａＮからなるｎ型コンタクト層、アンドープＧａＮ層、多重量子井戸構造の発光層（ＧａＮ障壁層／ＩｎＧａＮ井戸層の量子井戸構造）、Ｍｇがドープされたｐ型ＧａＮからなるｐ型ＧａＮからなるｐクラッド層、Ｍｇがドープされたｐ型ＧａＮからなるｐ型コンタクト層が順次積層された積層構造を有し、以下のように電極が形成されている。但し、この構成と異なる発光素子も使用できる。
【００５３】
ｐオーミック電極は、ｐ型コンタクト層上のほぼ全面に形成され、そのｐオーミック電極上の一部にｐパッド電極が形成される。
【００５４】
また、ｎ電極は、エッチングによりｐ型コンタクト層からアンドープＧａＮ層を除去してｎ型コンタクト層の一部を露出させ、その露出された部分に形成される。
【００５５】
なお、本実施の形態では、多重量子井戸構造の発光層を用いたが、本発明は、これに限定されるものではなく、例えば、ＩｎＧａＮを利用した単一量子井戸構造としても良いし、Ｓｉ、ＺｎがドープされたＧａＮを利用しても良い。
【００５６】
また、発光素子１の発光層は、Ｉｎの含有量を変化させることにより、４２０ｎｍから４９０ｎｍの範囲において主発光ピーク波長を変更することができる。また、発光ピーク波長は、上記範囲に限定されるものではなく、３６０ｎｍ〜５５０ｎｍに発光ピーク波長を有しているものを使用することができる。
【００５７】
発光素子１が載置されている芯部３０は、ろうそくの炎では、ほとんど無色透明に近い色味を有するか、青白い色味を有しているため、３８０ｎｍ〜４８５ｎｍの青紫色から青色までの光を放出する発光素子１を用いることが好ましいが、紫外光を用いることもできる。また、蛍光体５は、この発光素子１からの光により効率よく励起されるものであることが好ましい。
【００５８】
（リードフレーム）
リードフレーム２は、マウントリード２ａとインナーリード２ｂとから構成される。
【００５９】
マウントリード２ａは、発光素子１を配置させるものである。マウントリード２ａの上部は、カップ形状になっており、カップ内に発光素子１をダイボンドして固定している。カップ内に発光素子１を複数配置しマウントリード２ａを発光素子１の共通電極として利用することもできる。例えば、光の三原色である青色、緑色、赤色に発光する発光素子１を載置して、発光制御回路にて発光素子の発光を制御することもできる。この場合、十分な電気伝導性と導電性ワイヤ３との接続性が求められる。発光素子１とマウントリード２ａのカップとのダイボンド（接着）は、熱硬化性樹脂などによって行うことができる。熱硬化性樹脂としては、エポキシ樹脂、アクリル樹脂、イミド樹脂などが挙げられる。また、サブマウント基板にフェースダウン実装した発光素子１などによりマウントリード２ａとダイボンドすると共に電気的接続を行うには、Ａｇペースト、カーボンペースト、金属バンプなどを用いることができる。また、無機バインダーを用いることもできる。
【００６０】
インナーリード２ｂは、マウントリード２ａ上に配置された発光素子１の電極から延びる導電性ワイヤ３との電気的接続を図るものである。インナーリード２ｂは、マウントリード２ａとの電気的接触によるショートを避けるため、マウントリード２ａから離れた位置に配置することが好ましい。マウントリード２ａ上に複数の発光素子１を設けた場合は、各導電性ワイヤ同士が接触しないように配置できる構成にする必要がある。インナーリード２ｂは、マウントリード２ａと同様の材質を用いることが好ましく、鉄、銅、鉄入り銅、金、白金、銀などを用いることができる。
【００６１】
（コーティング部材）
コーティング部材（光透光性材料）は、マウントリード２ａのカップ内に設けられるものであり発光素子１の発光を変換する蛍光体と混合して用いられる場合がある。例えば、発光素子１に紫外光を発するものを使用し、コーティング部材に混入させた青色に発光する蛍光体を用いることもできる。コーティング部材の具体的材料としては、エポキシ樹脂、ユリア樹脂、シリコーン樹脂などの温度特性、耐候性に優れた透明樹脂、シリカゾル、ガラス、無機バインダーなどが用いられる。また、蛍光体と共に拡散剤、チタン酸バリウム、酸化チタン、酸化アルミニウムなどを含有させても良い。また、光安定化剤や着色剤を含有させても良い。ただし、コーティング部材は、特に設けなくてもよい。
【００６２】
（導電性ワイヤ）
導電性ワイヤ３は、発光素子１の電極とリードフレーム２とを電気的に接続するものである。導電性ワイヤ３は、電極とオーミック性、機械的接続性、電気導電性及び熱伝導性が良いものが好ましい。導電性ワイヤ３の具体的材料としては、金、銅、白金、アルミニウムなどの金属及びそれらの合金などが好ましい。
【００６３】
（蛍光体）
蛍光体５、６、７は、ろうそくの炎に似た色味に発光色を有するものを使用することが好ましい。特に蛍光体５及び第１の蛍光体６は、外炎部１０に相当するため、黄色から黄赤色付近に発光色を有するものが好ましく、第２の蛍光体７は、内炎部２０に相当するため、黄赤色から赤色付近に発光色を有するものが好ましい。ここで、黄色は５７３ｎｍ〜５８４ｎｍに主発光波長を有するもの、黄赤色は５８４ｎｍ〜６１０ｎｍに主発光波長を有するもの、赤色は６１０ｎｍ〜７８０ｎｍに主発光波長を有するものである（ＪＩＳ  Ｚ８１１０）。ただし、黄色付近には（白色系の薄い）黄色や（白色系の黄みの）白も含まれる。黄赤付近には、（白色系の薄い）黄赤や（白色系の薄い）ピンク、（白色系のオレンジ）ピンクも含まれる。赤色付近には、（白色系の薄い）ピンクや（白色系の）ピンクも含まれる。
【００６４】
蛍光体５、６、７は、励起光源としての発光素子１からの光により励起され、該光を吸収して波長変換し、所定の発光色を発光する。蛍光体５、６、７は、ろうそくの炎に似た色味を有する発光色を有すればよく、種々の蛍光体を使用することができる。例えば、赤色系発光蛍光体としてはＹ２Ｏ２Ｓ：Ｅｕ、Ｌａ２Ｏ２Ｓ：Ｅｕ、Ｙ２Ｏ３：Ｅｕ、Ｇｄ２Ｏ２Ｓ：Ｅｕなどがある。さらに、黄色系発光蛍光体としてはＹＡＧ、Ｔｂ３Ａｌ５Ｏ１２：Ｃｅ、（Ｂａ，Ｓｒ，Ｃａ）２ＳｉＯ４：Ｅｕ、ＣａＧａＳ４：Ｅｕなどがある。黄赤色系発光蛍光体としてＣａ２Ｓｉ５Ｎ８：Ｅｕ、橙色系発光蛍光体としてはＺｎＳ：Ｍｎなどがある。
【００６５】
蛍光体５及び第１の蛍光体６は、モールド樹脂４よりも比重の大きいものを使用し、モールド樹脂４の外炎部１０に蛍光体５及び第１の蛍光体６を配置する。第１の蛍光体６は、第２の蛍光体７よりも比重の大きいものを使用することが好ましい。例えば、第１の蛍光体６に３μｍ〜１５μｍ程度の平均粒径、比重が４．５ｇ／ｃｍ３〜７．５ｇ／ｃｍ３のＹＡＧ系蛍光体を用い、第２の蛍光体に１μｍ〜８μｍ程度（ＹＡＧ系蛍光体の方が、窒化物系蛍光体よりも比重が大きいことを要する。）の平均粒径、比重が３．０ｇ／ｃｍ３〜５．０ｇ／ｃｍ３の窒化物系蛍光体を用いることにより、外炎部１０にＹＡＧ系蛍光体を、内炎部２０に窒化物系蛍光体を配置することができる。また、このとき、第１の蛍光体６と第２の蛍光体７の比重差は、第１の蛍光体６が大きいように調整する。
【００６６】
また、蛍光体５、６、７は、残光性を有する蛍光体を用いることもできる。これにより、ろうそくの炎のちらつき感を実現することができるからである。
【００６７】
擬似炎型発光装置１００は、内炎部２０の色温度が５００Ｋ〜１５００Ｋであることが好ましく、外炎部１０の色温度が１０００Ｋ〜４０００Ｋ、より好ましくは１０００Ｋ〜２２００Ｋであることが好ましい。ただし、この範囲以外の色温度のものも使用することができる。この色温度の調節は、蛍光体の種類や、蛍光体の混入量を変えることなどにより適宜変更することができる。
【００６８】
なお、顔料を用いて擬似炎型発光装置を製造する場合、顔料がモールド樹脂よりも比重が大きい場合、モールド樹脂の尖端部に顔料が沈降する。顔料は発光しないため尖端部が暗く、リードフレーム側が明るい状態となる。そのため、ろうそくの炎とは異なる擬似炎型発光装置となる。これに対し、顔料がモールド樹脂よりも比重が小さい場合、モールド樹脂のリードフレーム側に顔料が浮上する。この場合、尖端部は顔料が少量のため明るく
、リードフレーム側が顔料が多く暗くなるが、尖端部の赤みが薄く、リードフレーム側が赤みが濃い状態となる。このため、ろうそくの炎とは異なる擬似炎型発光装置となる。さらに、顔料がモールド樹脂４とほぼ同じ比重である場合は、尖端部もリードフレーム側も均一に発光し、芯部にある発光素子１が最も明るく発光する。そのため、ろうそくの炎とは異なる擬似炎型発光装置となる。
【００６９】
（窒化物系蛍光体）
特に、黄赤色から赤色系に発光色を有する窒化物系蛍光体について、説明する。
【００７０】
窒化物系蛍光体は、一般式、ＬＸＭＹＮ（（２／３）Ｘ＋（４／３）Ｙ）：Ｒ若しくはＬＸＭＹＯＺＮ（（２／３）Ｘ＋（４／３）Ｙ−（２／３）Ｚ）：Ｒ（Ｌは、Ｂｅ、Ｍｇ、Ｃａ、Ｓｒ、Ｂａ、Ｚｎからなる群から選ばれるＣａ又はＳｒを必須とする少なくとも１種以上の第ＩＩ族元素である。Ｍは、Ｃ、Ｓｉ、Ｇｅ、Ｓｎ、Ｔｉ、Ｚｒ、Ｈｆからなる群から選ばれるＳｉを必須とする少なくとも１種以上の第ＩＶ族元素である。Ｒは、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｌｕからなる群から選ばれるＥｕを必須とする少なくとも１種以上の希土類元素である。Ｘ、Ｙ、Ｚは、０．５≦Ｘ≦３、１．５≦Ｙ≦８、０＜Ｚ≦３である。）で表される窒化物系蛍光体であって、該窒化物系蛍光体は、Ｍｎ又はＢが１ｐｐｍ以上１００００ｐｐｍ以下含まれていることを特徴とする窒化物系蛍光体である。
【００７１】
この窒化物系蛍光体は、一般式、ＬＸＭＹＮ（（２／３）Ｘ＋（４／３）Ｙ）：Ｒ若しくはＬＸＭＹＯＺＮ（（２／３）Ｘ＋（４／３）Ｙ−（２／３）Ｚ）：Ｒに対して、Ｍｎ又はＢが１ｐｐｍ以上１００００ｐｐｍ以下含まれている。原料に添加するホウ素は、ボロン、ホウ化物、窒化ホウ素、酸化ホウ素、ホウ酸塩等が使用できる。
【００７２】
Ｌは、Ｂｅ、Ｍｇ、Ｃａ、Ｓｒ、Ｂａ、Ｚｎからなる群から選ばれるＣａ又はＳｒを必須とする少なくとも１種以上の第ＩＩ族元素である。そのため、Ｃａ又はＳｒを単独で使用することもできるが、ＣａとＳｒ、ＣａとＭｇ、ＣａとＢａ、ＣａとＳｒとＢａなどの組合せも可能である。このＣａ又はＳｒのいずれか一方の元素を有しており、ＣａとＳｒの一部を、Ｂｅ、Ｍｇ、Ｂａ、Ｚｎで置換してもよい。２種以上の混合物を使用する場合、所望により配合比を変えることができる。ここで、Ｓｒのみ、若しくは、Ｃａのみのときより、ＳｒとＣａとを混合した方が、より長波長側にピーク波長がシフトする。ＳｒとＣａのモル比が、７：３若しくは３：７のとき、Ｃａ、Ｓｒのみを用いた場合と比べて、長波長側にピーク波長がシフトしている。さらに、ＳｒとＣａのモル比が、ほぼ５：５のとき、最も長波長側にピーク波長がシフトする。
【００７３】
Ｍは、Ｃ、Ｓｉ、Ｇｅ、Ｓｎ、Ｔｉ、Ｚｒ、Ｈｆからなる群から選ばれるＳｉを必須とする少なくとも１種以上の第ＩＶ族元素である。そのため、Ｓｉを単独で使用することもできるが、ＣとＳｉ、ＧｅとＳｉ、ＴｉとＳｉ、ＺｒとＳｉ、ＧｅとＴｉとＳｉなどの組合せも可能である。Ｓｉの一部を、Ｃ、Ｇｅ、Ｓｎ、Ｔｉ、Ｚｒ、Ｈｆで置換してもよい。Ｓｉを必須とする混合物を使用する場合、所望により配合比を変えることができる。例えば、Ｓｉを９５重量％用いて、Ｇｅを５重量％用いることができる。
【００７４】
Ｒは、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｌｕからなる群から選ばれるＥｕを必須とする少なくとも１種以上の希土類元素である。Ｅｕを単独で使用することもできるが、ＣｅとＥｕ、ＰｒとＥｕ、ＬａとＥｕなどの組合せも可能である。特に、賦活剤として、Ｅｕを用いることにより、黄色から赤色領域にピーク波長を有する発光特性に優れた窒化物系蛍光体を提供することができる。Ｅｕの一部を他の元素で置換することにより、他の元素は、共賦活として作用する。共賦活とすることにより色調を変化することができ、発光特性の調整を行うことができる。Ｅｕを必須とする混合物を使用する場合、所望により配合比を変えることができる。以下の実施例は、発光中心に希土類元素であるユウロピウムＥｕを用いる。ユウロピウムは、主に２価と３価のエネルギー準位を持つ。本発明の蛍光体は、母体のアルカリ土類金属系窒化ケイ素に対して、Ｅｕ２＋を賦活剤として用いる。Ｅｕ２＋は、酸化されやすく、３価のＥｕ２Ｏ３の組成で市販されている。しかし、市販のＥｕ２Ｏ３では、Ｏの関与が大きく、良好な蛍光体が得られにくい。そのため、Ｅｕ２Ｏ３からＯを、系外へ除去したものを使用することが好ましい。たとえば、ユウロピウム単体、窒化ユウロピウムを用いることが好ましい。
【００７５】
ホウ素を添加した場合の効果は、Ｅｕ２＋の拡散を促進し、発光輝度、エネルギー効率、量子効率等の発光特性の向上を図ることができる。また、粒径を大きくし、発光特性の向上を図ることができる。また、マンガンを添加した場合も、同様である。
【００７６】
前記窒化物系蛍光体の組成中に酸素が含有されている。
【００７７】
（ＹＡＧ蛍光体）
黄色系に発光する蛍光体には、種々の蛍光体があるが、特に、少なくともセリウムで賦活されたイットリウム・アルミニウム酸化物蛍光体、少なくともセリウムで賦活されたイットリウム・ガドリニウム・アルミニウム酸化物蛍光体、及び少なくともセリウムで賦活されたイットリウム・ガリウム・アルミニウム酸化物蛍光体の少なくともいずれか１以上であることが好ましい。これらの蛍光体は、高輝度であり、温度特性に優れた蛍光体だからである。
【００７８】
上記窒化物系蛍光体と、セリウムで賦活されたイットリウム・アルミニウム酸化物蛍光体等とを用いた場合、これら蛍光体における自己吸収が少ないため、効率よく発光を取り出すことができる。具体的には、Ｌｎ３Ｍ５Ｏ１２：Ｒ（Ｌｎは、Ｙ、Ｇｄ、Ｌａから選ばれる少なくとも１以上である。Ｍは、Ａｌ、Ｃａの少なくともいずれか一方を含む。Ｒは、ランタノイド系である。）、（Ｙ１−ｘＧａｘ）３（Ａｌ１−ｙＧａｙ）５Ｏ１２：Ｒ（Ｒは、Ｃｅ、Ｔｂ、Ｌｕ、Ｐｒ、Ｓｍ、Ｅｕ、Ｄｙ、Ｈｏから選ばれる少なくとも１以上である。０＜Ｒ＜０．５である。）を使用することができる。
【００７９】
（その他の蛍光体）
紫外領域に主発光波長を有する発光素子１を用いた場合、蛍光体の輝度が低いことがあり、所定の波長の光を蛍光体に照射する必要がある。また、ろうそくの炎の芯部３０付近は、燃焼温度が低いため、青色に見えることもある。このことから、発光素子１が載置されているマウントリード２ａのカップ内に青色系に発光する蛍光体を含有させて、青色光を発光することが好ましい。これらの用途に使用される蛍光体として、緑色系発光蛍光体ＳｒＡｌ２Ｏ４：Ｅｕ、Ｙ２ＳｉＯ５：Ｃｅ，Ｔｂ、ＭｇＡｌ１１Ｏ１９：Ｃｅ，Ｔｂ、Ｓｒ７Ａｌ１２Ｏ２５：Ｅｕ、（Ｍｇ、Ｃａ、Ｓｒ、Ｂａのうち少なくとも１以上）Ｇａ２Ｓ４：Ｅｕ、青色系発光蛍光体Ｓｒ５（ＰＯ４）３Ｃｌ：Ｅｕ、（ＳｒＣａＢａ）５（ＰＯ４）３Ｃｌ：Ｅｕ、（ＢａＣａ）５（ＰＯ４）３Ｃｌ：Ｅｕ、（Ｍｇ、Ｃａ、Ｓｒ、Ｂａのうち少なくとも１以上）２Ｂ５Ｏ９Ｃｌ：Ｅｕ，Ｍｎ、（Ｍｇ、Ｃａ、Ｓｒ、Ｂａのうち少なくとも１以上）（ＰＯ４）６Ｃｌ２：Ｅｕ，Ｍｎなどを用いることができる。但し、青色、緑色、黄色、黄赤色、赤色等の発光蛍光体は、上記の蛍光体に限定されず、種々の蛍光体を使用することができる。
【００８０】
（拡散剤）
モールド樹脂４中に蛍光体５、第１の蛍光体６、第２の蛍光体７（以下、「蛍光体５、６、７」と略記する。）などと共に、拡散剤８を混入させてもよい。具体的な拡散剤８としては、チタン酸バリウム、酸化チタン、酸化アルミニウム、酸化ケイ素等が好ましい。これによって、良好な指向特性を有する擬似炎型発光装置１００を製造することができる。
【００８１】
ここで、拡散剤８の粒径は、特に問わず、用語的に使用されているフィラーなども拡散剤８に含まれる。中心粒径が１μｍ以上５μｍ未満の拡散剤８は、蛍光体５、６、７からの光を良好に乱反射させ、大きな粒径の蛍光体５、６、７を用いることにより生じやすい色むらを抑制することができる。中心粒径が１ｎｍ以上１μｍ未満の拡散剤８は、発光素子１からの光波長に対する干渉効果が低い反面、光度を低下させることなく樹脂粘度を高めることができる。これにより、モールド樹脂４中に蛍光体５、６、７をほぼ均一に分散させ、その状態を維持することが可能となる。これにより、比較的取り扱いが困難である粒径の大きい蛍光体５、６、７を用いた場合でも歩留まり良く量産することができる。中心粒径が５μｍ以上１００μｍ以下の拡散剤８は、モールド樹脂４中に含有させると、光散乱作用により発光素子１の色度バラツキが改善される他、モールド樹脂４の耐熱衝撃性を高めることもできる。これにより高温下での使用においても、発光素子１と導電性ワイヤ３の断線の防止や、発光素子１底面とマウントリード２ａのカップ内底面との剥離の防止等を行うことができる。また、モールド樹脂４の流動性を長時間一定に調整することが可能となり所望とする場所に封止部材（コーティング部材）を形成することができ歩留まり良く量産することができる。
【００８２】
拡散剤８は、蛍光体５、６、７と類似の粒径及び／又は形状を有することが好ましい。ここで類似の粒径とは、各粒子のそれぞれの中心粒径の差が２０％未満の場合をいい、類似の形状とは、各粒径の真円との近似程度を示す円形度（円形度＝粒子の投影面積に等しい真円の周囲長さ／粒子の投影の周囲長さ）の値の差が２０％未満の場合をいう。このような拡散剤８を用いることにより、蛍光体５、６、７と拡散剤８とが互いに作用しあい、モールド樹脂４中にて蛍光体５、６、７を良好に分散させることができ色むらが抑制される。
【００８３】
（モールド樹脂）
モールド樹脂４は、発光素子１、蛍光体５、６，７、リードフレーム２及び導電性ワイヤ３などを外部から保護するために設けられている。モールド樹脂４は、外部からの保護目的の他に、視野角を広げたり、発光素子１からの指向性を緩和したり、発光を収束、拡散させたりする目的も併せ持っている。モールド樹脂は、ろうそくの炎の形状にする。このろうそくの炎の形は、風が吹いて炎が揺れた状態のものも使用することができ、特に、無風の時の炎の状態以外のものも使用することができる。モールド樹脂４の具体的材料としては、エポキシ樹脂、ユリア樹脂、シリコーン樹脂、シリカゾル、ガラスなどの透光性、耐候性、温度特性に優れた材料を使用することができる。モールド樹脂４には、蛍光体５、６、７や拡散剤８をはじめ、着色剤や紫外線吸収剤を含有させることもできる。
【００８４】
モールド樹脂４中には蛍光体５を分散させた場合、蛍光体５が型枠側に沈降するため、擬似炎型発光装置１００の外炎部１０に蛍光体５が配置されるようになるが、ここに拡散剤８が混入していてもよい。拡散剤８により、光散乱作用や蛍光体の凝集の抑制等の効果を発揮するからである。内炎部２０に拡散剤８を多く混入することにより、光散乱作用を発揮し、指向特性に優れた擬似炎型発光装置１００を製造することができる。
【００８５】
モールド樹脂４中に第１の蛍光体６及び第２の蛍光体７を分散させた場合、第１の蛍光体６が型枠側に沈降するため、擬似炎型発光装置１００の外炎部１０に第１の蛍光体６が配置され、内炎部２０に第２の蛍光体及び拡散剤８が配置される。ただし、外炎部１０にも第２の蛍光体や拡散剤８が混入していてもよく、内炎部２０よりも外炎部１０の方が黄みが強ければ足りるからである。
【００８６】
（擬似炎型発光装置の製造方法）
擬似炎型発光装置１００は、以下の工程を経ることにより製造することができる。
【００８７】
ろうそくの炎に似せた型枠内に、あらかじめ蛍光体５を混入したモールド樹脂４を投入する（第１の工程）。
【００８８】
この蛍光体５は、モールド樹脂４成型後、外炎部１０に配置されるものであるため、黄色から黄赤色付近に発光色を有する蛍光体を用いる。蛍光体５の使用量及びモールド樹脂４の使用量はあらかじめ秤量しておく。この蛍光体５をモールド樹脂４中に混入し、蛍光体５が凝集しないように、均一に混合し分散させておく。型枠は、上方に開口部、下方にモールド樹脂４の尖端部が配置されるように載置されている。
【００８９】
ろうそくの炎に似せた型枠は、無風状態の際の炎の形状の他、風が吹いたときの炎の形状なども作ることができる。
【００９０】
型枠内のモールド樹脂４中に芯部３０に相当する発光素子１を挿入する（第２の工程）。
【００９１】
発光素子１は、マウントリード２ａのカップ内にボンディングして載置しておく。発光素子１が持つ電極とマウントリード２ａ及びインナーリード２ｂのそれぞれに導電性ワイヤ３をボンディングして電気的に接続しておく。場合により、マウントリード２ａのカップ内をコーティング部材で埋めておくこともできる。このコーティング部材には、蛍光体を含有させてもよい。このマウントリード２ａとインナーリード２ｂとを持つリードフレーム２を複数個備えたフレームを、このフレームに対抗する個数有する型枠内にゆっくりと挿入する。このとき、導電性ワイヤ３が切断せず、マウントリード２ａのカップ内に空気が残存しないようにフレームを挿入する。発光素子１は、表面実装してマウントリード２ａに載置することもできる。また、発光素子１をサブマウント基板にフェースダウン実装したものとマウントリード２ａに載置することもできる。
【００９２】
第１の工程後、蛍光体５が型枠側に沈降する（第３の工程）。
【００９３】
型枠内に、蛍光体５を混入したモールド樹脂４を投入すると、モールド樹脂４よりも蛍光体５の比重が大きいため、蛍光体５が型枠側に沈降し始める。この時、沈降速度は、モールド樹脂４の粘度、比重等により適宜変化してくる。粘度が低い場合は、蛍光体５の沈降速度が早く、すぐに外炎部１０に蛍光体５を配置することができる。一方、粘度が高い場合は、ゆっくりと蛍光体５が沈降するため、内炎部２０から外炎部１０にかけて蛍光体５量が増すように配置することができる。型枠側に沈降させることで、モールド樹脂４成型後、モールド樹脂４の外炎部１０に蛍光体５が配置される。特に、モールド樹脂４の尖端部に蛍光体５が多く配置され、リードフレーム２側には蛍光体５がわずかに配置されている。ただし、この応用として、モールド樹脂４よりも比重の小さい蛍光体５を用いる。型枠内にモールド樹脂４を投入した後、該型枠の上下を逆にして、リードフレーム２が下方側にくるようにする。そして、しばらく放置すると、モールド樹脂４中に混入した蛍光体５が浮上して、型枠側に蛍光体５が配置される。これにより、モールド樹脂４の外炎部１０に蛍光体５を配置することもできる。
【００９４】
モールド樹脂を硬化する（第４の工程）。
【００９５】
蛍光体５がモールド樹脂４の外炎部１０に配置されるように硬化する。硬化は所定の温度を型枠にかけて、熱硬化したあと、冷却する。若しくは所定の温度を型枠にかけて、モールド樹脂４に粘性を持たせたあと、冷却して硬化することもできる。
【００９６】
以上の工程を経ることにより、簡易に擬似炎型発光装置を製造することができる。
【００９７】
＜第２の実施の形態＞
（擬似炎型発光装置）
本発明に係る第２の実施の形態を、図面を参照して説明する。図２は、擬似炎型発光装置の断面図である。ただし、第１の実施の形態と、ほぼ同様の構成をとるところは、説明を省略する。
【００９８】
擬似炎型発光装置２００は、外炎部１０と、内炎部２０と、芯部３０とを有する。芯部３０は、外部に光を発光する発光素子１が使用されている。発光素子１は、マウントリード２ａのカップ形状を有する部分に載置されている。リードフレーム２は、発光素子１が載置されているマウントリード２ａと、インナーリード２ｂとから成っており、導電性ワイヤ３を用いて発光素子１が持つ電極と、それぞれ電気的に接合されている。外炎部１０と内炎部２０とは、モールド樹脂４で形成されており、モールド樹脂４には、第１の蛍光体６及び第２の蛍光体７、拡散剤８が混入されている。特に、第１の蛍光体６は、外炎部１０に多く配置され、内炎部２０方向に行くに従って、少量となっている。また、第２の蛍光体７及び拡散剤８は、内炎部２０に多く配置されている。内炎部２０は、外炎部１０よりも長波長よりの発光色を示すものが好ましい。内炎部２０は、第２の蛍光体７と拡散剤８とがほぼ均一に分散されており、外炎部１０よりも発光色が薄い方が好ましい。擬似炎型発光装置２００は、ろうそくの炎のように先端がやや尖った形状をなしていることが好ましい。また、擬似炎型発光装置２００は、ろうそくの炎のように、下方は第１の蛍光体６及び第２の蛍光体７が混入されておらず、黄色から赤色等を発光しない方が、好ましい。
【００９９】
この擬似炎型発光装置２００に、電流を投入して点灯させると、黄色から黄赤色付近に発光色を有する外炎部１０がよく光り、黄赤色から赤色付近に発光色を有する内炎部２０が光り、内側からの青色と混色して暖系の白色を呈し、ほとんど色味のない状態若しくは薄青色に発光色を有する芯部３０が光っている。これは、発光素子１から放出された光が、モールド樹脂４に混入されている第２の蛍光体７に照射し、第２の蛍光体７がこの光の少なくとも一部を吸収し、波長変換し黄赤色から赤色付近に発光する。発光素子１から放出された光は、拡散剤８に照射して反射（散乱）して視野角を拡げている。発光素子１から放出された光が、モールド樹脂４に混入されている第１の蛍光体６に照射し、第１の蛍光体６がこの光の少なくとも一部を吸収し、波長変換し黄色から黄赤色付近に発光する。内炎部２０は、拡散剤８と第２の蛍光体７が混在してほぼ均一に分散されているため、内炎部２０は、比較的薄い色味を形成しており、指向特性を良好にしている。モールド樹脂４は、内炎部２０よりも外炎部１０の方が、第１の蛍光体６が多く配置されているため、明るく発光する。また、第２の蛍光体７の発光色よりも第１の蛍光体６の発光色の方が、視感度的に明るく見えることにもよる。さらに、擬似炎型発光装置２００は、実際のろうそくの炎のように発光するように、第１の蛍光体６及び第２の蛍光体７の混入量、分散量、配置箇所等を制御していることにもよる。
【０１００】
芯部３０には、青色に発光する発光素子を用いており、実際のろうそくが不完全燃焼したときの色味と似ている。また、芯部３０に、紫外線領域で発光する発光素子を用いた場合は、芯部３０近傍が透明若しくは薄紫色になるため、芯部３０近傍に青色に発光する蛍光体を配置してもよい。
【０１０１】
第１の蛍光体６には、黄色から黄赤色に発光色を有する蛍光体であればよいが、ＹＡＧ系蛍光体を用いることが好ましい。第１の蛍光体６の量及び組成を種々変更して、色温度が１０００Ｋ〜４０００Ｋ、好ましくは１０００Ｋ〜２２００Ｋになるように調整することが好ましい。
【０１０２】
第２の蛍光体７には、黄赤色から黄赤色に発光色を有する蛍光体であればよいが、窒化物系蛍光体を用いることが好ましい。第２の蛍光体７の量及び組成を種々変更して、色温度が５００Ｋ〜１５００Ｋになるように調整することが好ましい。第１の蛍光体６の色温度よりも第２の蛍光体７の色温度の方が低いことが好ましい。これらの色温度は、装飾用など目的に応じて、色温度を高くしてもよい。
【０１０３】
第２の蛍光体７と拡散剤８との比重は、ほぼ等しいことが好ましく、第２の蛍光体７と拡散剤８とは、ほぼ均一に混合されていることが好ましい。さらに、第２の蛍光体７と拡散剤８は、モールド樹脂４よりも比重が大きいことが好ましい。これにより、外炎部１０に相当するモールド樹脂４の尖端部に第１の蛍光体６が配置され、内炎部２０に相当するモールド樹脂４の尖端部に近い中央部に第２の蛍光体７が配置され、芯部３０に相当するモールド樹脂４の下方部は、モールド樹脂４のみ若しくは拡散剤８が配置されることとなる。これにより、発光素子１を点灯した際に、実際のろうそくの炎に近い色味を有する擬似炎型発光装置２００を提供することができるからである。
【０１０４】
（擬似炎型発光装置の製造方法）
第１の実施の形態に係る擬似炎型発光装置とほぼ同じ構成を採るところは、説明を省略する。
【０１０５】
ろうそくの炎に似せた型枠内に、比重の異なる第１の蛍光体６と第２の蛍光体７と拡散剤８とを混入したモールド樹脂４を投入する（第１の工程）。
【０１０６】
このとき拡散剤８は、混入させなくてもよい。型枠は、上方に開口部、下方にモールド樹脂４の尖端部が配置されるように載置されている。第１の蛍光体６と第２の蛍光体７と拡散剤８とを混入したモールド樹脂４は、あらかじめ均一に分散させておくことが好ましい。
【０１０７】
型枠内のモールド樹脂４中に芯部３０に相当する発光素子１を挿入する（第２の工程）。
【０１０８】
発光素子１は、マウントリード２ａに載置され、マウントリード２ａ及びインナーリード２ｂのそれぞれに導電性ワイヤ３で電気的に接続されている。
【０１０９】
第１の工程後、第２の蛍光体７よりも比重の大きい第１の蛍光体６が型枠側に沈降する（第３の工程）。
【０１１０】
第１の蛍光体６がモールド樹脂４よりも比重が大きいため、型枠側に沈降する。第２の蛍光体７が第１の蛍光体６よりも比重が小さく、モールド樹脂４よりも比重が大きい場合は、第１の蛍光体６、第２の蛍光体７の順に外側から内側に向かって蛍光体が配置される。第２の蛍光体７が第１の蛍光体６よりも比重が小さく、モールド樹脂４と比重がほぼ等しい場合は、第１の蛍光体６が外炎部１０に配置され、内炎部２０及び芯部３０付近に第２の蛍光体７が配置される。例えば、第１の蛍光体６にＹＡＧ系蛍光体を用い、第２の蛍光体７に窒化物系蛍光体を用い、ＹＡＧ系蛍光体の方が窒化物系蛍光体よりも比重が大きい場合、比重の大きいＹＡＧ系蛍光体の方が先に沈降し、比重の小さい窒化物系蛍光体の方が後から沈降する。これにより、型枠との接触面付近にはＹＡＧ系蛍光体が配置され、擬似炎型発光装置のやや内部付近に窒化物系蛍光体が配置される。
【０１１１】
モールド樹脂４を硬化する（第４の工程）。
【０１１２】
第１の蛍光体６がモールド樹脂４の外炎部１０に、第２の蛍光体７がモールド樹脂４の内炎部２０に配置されるように硬化する。硬化は所定の温度を型枠にかけて、熱硬化したあと、冷却する。若しくは所定の温度を型枠にかけて、モールド樹脂４に粘性を持たせたあと、冷却して硬化することもできる。
【０１１３】
以上の工程を経ることにより、簡易に擬似炎型発光装置２００を製造することができる。
【０１１４】
（異なる擬似炎型発光装置の製造方法）
上記と異なる擬似炎型発光装置の製造方法を説明する。
【０１１５】
まず、第２の蛍光体７を第２のモールド樹脂に投入し、ほぼ均一に混合しておく。また、第２のモールド樹脂中に拡散剤８を混合しておくこともできる。
【０１１６】
次に、ろうそくの炎の内炎部に似せた内炎用成型型枠内に、第２の蛍光体７を混入した第２のモールド樹脂を投入する（第１の工程）。
【０１１７】
内炎用成型型枠内の第２のモールド樹脂中に芯部に相当する発光素子１を挿入する（第２の工程）。ただし、第２の工程は、第１の工程前に型枠内に発光素子を配置してもよい。発光素子１は、あらかじめマウントリード２ａに載置され導電性ワイヤ３で電気的に接続されている。
【０１１８】
第２のモールド樹脂を硬化する（第３の工程）。
【０１１９】
第２のモールド樹脂は、内炎用成型型枠内で硬化してもよいが、内炎用成型型枠内で仮硬化し、内炎用成型型枠から取り出し本硬化する手段も採ることができる。第２のモールド樹脂よりも比重の大きい第２の蛍光体７を使用して芯部３０よりも型枠内壁側に多く配置してもよい。若しくは、第２のモールド樹脂とほぼ同じ比重の第２の蛍光体７を使用して、第２の蛍光体７を均一に配置してもよい。
【０１２０】
次に、第１の蛍光体６を第１のモールド樹脂中に投入し、ほぼ均一に混合しておく。
【０１２１】
ろうそくの炎に似せた外炎用成型型枠内に、第１の蛍光体６を混入した第１のモールド樹脂を投入する（第４の工程）。
【０１２２】
第１のモールド樹脂と第２のモールド樹脂とは、同一種類のものあっても良いが、異なる種類のものであってもよい。例えば、異なる種類のモールド樹脂を用いる場合、第１のモールド樹脂が外周に配置されるため、成型したときに強固な成型品となる第１のモールド樹脂を使用することが好ましいからである。
【０１２３】
外炎用成型型枠内の第１のモールド樹脂中に内炎部２０に相当する第２のモールド樹脂を硬化させた内炎部を挿入する（第５の工程）。
【０１２４】
第５の工程は、第４の工程前に外炎用成型型枠内に内炎部を挿入してもよい。
【０１２５】
第１のモールド樹脂を硬化させる（第５の工程）。
【０１２６】
該硬化は、外炎用成型型枠内でのみ硬化を行うことができる。また、第１のモールド樹脂の硬化は、外炎用成型型枠内で仮硬化を行い、外炎用成型型枠内から取り出した後、本硬化を行うものでもよい。第１の蛍光体６は、外炎用成型型枠内の型枠側に配置させることが好ましい。この方法として、第１のモールド樹脂よりも比重の大きい第１の蛍光体６を用いて、第１の蛍光体６を沈降させ外炎用成型型枠側に配置することができる。
【０１２７】
第５の工程後、外炎用成型型枠内から擬似炎型発光装置２００を取り出す（第６の工程）。
【０１２８】
以上の工程を経ることにより、簡易に擬似炎型発光装置２００を製造することができる。
【０１２９】
＜第３の実施の形態＞
（擬似炎型発光装置）
本発明に係る第２の実施の形態を、図面を参照して説明する。図３は、擬似炎型発光装置の断面図である。ただし、第１の実施の形態及び第２の実施の形態と、ほぼ同様の構成をとるところは、説明を省略する。
【０１３０】
第３の実施の形態に係る擬似炎型発光装置３００は、風が吹いたときのろうそくの炎の状態を現している。モールド樹脂４は、尖端部が発光素子１の真上になく、少しずれた位置にある。また、この尖端部は、横方向を向いていてもよい。
【０１３１】
型枠は、上方が開口しており、型枠の底部が湾曲している形状を有している。このような形状を採る場合は、トランスファーモールドすることにより成型することができる。また、第２の実施の形態と同じ型枠を使用して、モールド樹脂４を投入し、モールド樹脂４に発光素子１を取り付けた後、半硬化させた後、型枠から取り出す。その後、モールド樹脂４の尖端部が斜め下を向く位置に放置して本硬化させると、重力により尖端部がリードフレーム２の真上よりずれた位置に形成され、湾曲形状を有する擬似炎型発光装置３００を成型することができる。
【０１３２】
この実施の形態においても、第１の蛍光体６を沈降させることにより、モールド樹脂４の尖端部の外炎部１０に第１の蛍光体６が配置され、内炎部２０に第２の蛍光体７が配置される。
【０１３３】
これにより、第３の実施の形態に係る擬似炎型発光装置３００を製造することができる。
【０１３４】
＜第４の実施の形態＞
本発明に係る第４の実施の形態について図１を用いて説明する。第１の実施の形態と同様の構成を採るところは、説明を省略する。
【０１３５】
擬似炎型発光装置は、ろうそくの炎に似せた外形を有して、ろうそくの炎のように、芯部３０と、内炎部２０と、外炎部１０とを有する透光性の擬似炎型発光装置である。芯部３０は、発光素子１が配置され、芯部３０を覆うように、内炎部２０と外炎部１０とを持つ透光性のモールド樹脂４が配置され、外炎部１０には、発光素子１からの光の少なくとも一部を吸収して波長変換する蛍光体５が配置されている。この擬似炎型発光装置は、ろうそくの炎の色味と異なる色味の光を放出する。
【０１３６】
モールド樹脂４には、拡散剤８が混入されており、発光素子１からの光を拡散させている。
【０１３７】
例えば、紫外線領域に発光する発光素子１を用いて、青緑色から緑色近傍に発光する蛍光体５を用いる。蛍光体５は、ＢａＳｉ２Ｏ２Ｎ２：Ｅｕである。これにより、青緑色から緑色近傍に発光する擬似炎型発光装置を製造することができる。
【０１３８】
例えば、紫外線領域に発光する発光素子１を用いて、黄赤色から赤色近傍に発光する蛍光体５を用いる。蛍光体５は、Ｃａ２Ｓｉ５Ｎ８：Ｅｕ若しくはＳｒ２Ｓｉ５Ｎ８：Ｅｕ、（Ｃａ，Ｓｒ）２Ｓｉ５Ｎ８：Ｅｕなどである。これにより、黄赤色から赤色近傍に発光し、色温度が４０００Ｋ以上の擬似炎型発光装置を製造することができる。
【０１３９】
また、青色に発光する発光素子１を用いて、黄色近傍に発光する蛍光体５を用いる。蛍光体５は、ＹＡＧ系蛍光体である。ＹＡＧ系蛍光体の配合量を調整することにより、発光素子１が持つ青色光とＹＡＧ系蛍光体が持つ黄色光が混色光となって放出され、白色に発光する擬似炎型発光装置を製造することができる。
【０１４０】
＜第５の実施の形態＞
本発明に係る第５の実施の形態について図２を用いて説明する。第２の実施の形態と同様の構成を採るところは、説明を省略する。
【０１４１】
擬似炎型発光装置は、ろうそくの炎に似せた外形を有して、ろうそくの炎のように、芯部３０と、内炎部２０と、外炎部１０とを有する透光性の擬似炎型発光装置である。芯部３０は、発光素子１が配置され、芯部３０を覆うように、内炎部２０と外炎部１０とを持つ透光性のモールド樹脂４が配置され、内炎部２０には、発光素子１からの光の少なくとも一部を吸収して波長変換する第１の蛍光体６が混入され、外炎部１０には、発光素子１からの光の少なくとも一部を吸収して波長変換する第２の蛍光体７が混入されている。この擬似炎型発光装置は、ろうそくの炎の色味と異なる色味の光を放出する。
【０１４２】
例えば、紫外線領域に発光する発光素子１を用いて、青緑色から緑色近傍に発光する第１の蛍光体６、黄赤色から赤色近傍に発光する第２の蛍光体７を用いる。第１の蛍光体６には、ＢａＳｉ２Ｏ２Ｎ２：Ｅｕを用い、第２の蛍光体７には、Ｃａ２Ｓｉ５Ｎ８：Ｅｕ若しくはＳｒ２Ｓｉ５Ｎ８：Ｅｕ、（Ｃａ，Ｓｒ）２Ｓｉ５Ｎ８：Ｅｕなどを用いる。第１の蛍光体６及び第２の蛍光体７の配合量を調整することにより、緑色から白色、赤色近傍に発光する擬似炎型発光装置を製造することができる。
【０１４３】
また、青色領域に発光する発光素子１を用いて、青緑色から緑色近傍に発光する第１の蛍光体６、黄赤色から赤色近傍に発光する第２の蛍光体７を用いる。第１の蛍光体６には、ＢａＳｉ２Ｏ２Ｎ２：Ｅｕを用い、第２の蛍光体７には、Ｃａ２Ｓｉ５Ｎ８：Ｅｕ若しくはＳｒ２Ｓｉ５Ｎ８：Ｅｕ、（Ｃａ，Ｓｒ）２Ｓｉ５Ｎ８：Ｅｕなどを用いる。第１の蛍光体６及び第２の蛍光体７の配合量を調整することにより、青色から緑色、白色、赤色までの広範囲に発光する擬似炎型発光装置を製造することができる。
【０１４４】
＜第６の実施の形態＞
（電子炎灯）
本発明に係る電子炎灯について図面を用いて詳述する。図４は、擬似炎型発光装置を取り付けたろうそく型電子炎灯である。
【０１４５】
第６の実施の形態は、擬似炎型発光装置２００を取り付けたろうそく型電子炎灯である。このろうそく型電子炎灯は、ろうそくの炎に似せた外形を有する擬似炎型発光装置２００と、この擬似炎型発光装置２００に電気を流す電源部（図示しない）と、この擬似炎型発光装置２００と該電源部とを連結する本体部と、を有する電子炎灯である。本体部は、胴体部１１０と台座部１２０とからなる。電源部は外部電源（家庭用交流電源等）を使用してもよく、本体内に内蔵式の電池を使用してもよい。このろうそく型電子炎灯は、ろうそくの外形を有し、擬似炎型発光装置２００部分が、電源部から送られてくる電気により発光素子１が発光し、ろうそくの炎のように発光している。このろうそく型電子炎灯に、電流制御回路を取り付けることにより、擬似炎型発光装置に投入される電流を制御し、本物のろうそくのような炎の揺らめき等を再現することができる。
【０１４６】
胴体部１１０は、擬似炎型発光装置２００と台座部１２０とを連結するものである。ろうそくに似せた外形を有するため、所定の太さ、長さ、大きさにする。炎の大きさは、モールド樹脂４の量を増減することにより変えることができる。
【０１４７】
電源に電池を使用する場合は、胴体部１１０に電池が収納（内蔵）できる構成となっている。例えば、胴体部１１０の一端を陽極とし、他端を陰極とし、この陽極と陰極とをそれぞれ発光素子１と電気的に接続する。この接続経路の途中にスイッチ部を設ける。さらに、電池からの投入電流量を制御する電流制御回路を取り付けることもできる。
【０１４８】
このろうそく型電子炎灯は、火を使用しておらず、電気若しくは電池を使用するため極めて安全である。また、本物のろうそくのようにロウが胴体部１１０に伝わってこないので、胴体部１１０を手で保持してもロウの流れだしによる火傷の危険性がなく安全である。
【０１４９】
＜第７の実施の形態＞
（電子炎灯）
複数個の擬似炎型発光装置を取り付けた電子炎灯について図面を用いて詳述する。図５は、擬似炎型発光装置を取り付けた電子炎灯である。
【０１５０】
この実施の形態に係る電子炎灯は、擬似炎型発光装置を複数個用いている。本体部１３０には、擬似炎型発光装置２００が取り付けられており、この擬似炎型発光装置２００と電源部１５０とを電気的に接続するコード１４０とが設けられている。
【０１５１】
この擬似炎型発光装置２００は、複数個の発光素子１を有していてもよい。例えば、４００ｎｍ近傍の紫外線領域で発光する発光素子１を用いる場合、ＹＡＧ系蛍光体の発光は低く抑えられ、窒化物系蛍光体のみが高輝度に発光する。それに対し、４６０ｎｍ近傍の青色領域で発光する発光素子１を用いる場合、ＹＡＧ系蛍光体と窒化物系蛍光体とのいずれも高輝度に発光する。このため、４００ｎｍ近傍の発光素子１と４６０ｎｍ近傍の発光素子１とを並べて載置した場合、擬似炎型発光装置２００から発光してくる色味が異なる。また、緑色領域に発光する発光素子１を用いる場合も、前述の発光素子１で光らせたものと色味が異なる。よって種々の色味に発光可能な擬似炎型発光装置２００とすることができる。
【０１５２】
また、複数個の擬似炎型発光装置２００を用いるため、色温度の異なるものを用いてもよい。
【０１５３】
この電子炎灯は、クリスマスツリーの装飾用や街頭の照明器具等に使用することができる。この電子炎灯は、火を用いないため、極めて安全である。
【産業上の利用可能性】
【０１５４】
本発明の擬似炎型発光装置及び電子炎灯は、従来ろうそくを用いていたところに置き換えて使用することができる。また、照明器具としても利用することができる。例えば、ろうそくや室内用照明器具、クリスマスキャンドル用点灯ライト、屋外用照明器具等に利用することができる。そのほか、多色系の擬似炎型発光装置にも応用できる。
【図面の簡単な説明】
【０１５５】
【図１】擬似炎型発光装置の断面図である。
【図２】擬似炎型発光装置の断面図である。
【図３】擬似炎型発光装置の断面図である。
【図４】擬似炎型発光装置を取り付けたろうそく型電子炎灯である。
【図５】擬似炎型発光装置を取り付けた電子炎灯である。
【符号の説明】
【０１５６】
１      発光素子
２      リードフレーム
２ａ    マウントリード
２ｂ    インナーリード
３      導電性ワイヤ
４      モールド樹脂
５      蛍光体
６      第１の蛍光体
７      第２の蛍光体
８      拡散剤
１０    外炎部
２０    内炎部
３０    芯部
１００  擬似炎型発光装置
１１０  胴体部
１２０  台座部
１３０  本体部
１４０  コード
１５０  電源部
２００  擬似炎型発光装置
【図１】
2005078905.tif 000003
【図２】
2005078905.tif 000004
【図３】
2005078905.tif 000005
【図４】
2005078905.tif 000006
【図５】
2005078905.tif 000007